(57)【要約】【課題】競技者一人による作業で手首に対する締め付け固定力を確実に得ることができ、また取り外しも簡単に行える格闘技用グローブを提供する。【解決手段】親指部１、拳部２、手首部３からなるグローブと、グローブの内側中央付近から手首部３にかけて形成した割溝４と、割溝４の片側から延設した保持ベルト５と、保持ベルト５の裏面、および前記割溝４の他の片側縁部から手首部３外周にかけて付設した面ファスナー部５ａ、５ｂと、を備え、拳挿入後に前記割溝４を窄ませながら前記保持ベルト５を手首部３に巻き付けて前記面ファスナー部５ａ、５ｂで固定する。そして割溝４の他の片側縁部外面に環状となって付設した挿通部６と、中間を挿通部６に通した状態で一端が前記割溝４の片側に固着し且つ他端が前記保持ベルト５の裏面に固着してなるガイド用帯体７とを備える。【選択図】図１
0003166611.tif 000002
【実用新案登録請求の範囲】
【請求項１】
親指部、拳部、手首部からなるグローブと、
グローブの内側中央付近から手首部にかけて形成された割溝と、
割溝の片側から延設された保持ベルトと、
保持ベルトの裏面、および前記割溝の他の片側縁部から手首部外周にかけて付設された面ファスナー部と、
を備え、
拳挿入後に前記割溝を窄ませながら前記保持ベルトを手首部に巻き付けて前記面ファスナー部で固定される格闘技用グローブであって、
割溝の他の片側縁部外面に環状となって付設された挿通部と、
中間が挿通部に通された状態で一端が前記割溝の片側に固着され且つ他端が前記保持ベルトの裏面に固着されてなるガイド用帯体と、
を備えたことを特徴とする格闘技用グローブ。
【考案の詳細な説明】
【技術分野】
【０００１】
本考案は、例えば、日本拳法、空手、ボクシング等の各種の格闘技において、アマチュアまたは選手等が練習用もしくは実戦用として競技者の手の拳に装着し保護するための格闘技用グローブに関する。
【背景技術】
【０００２】
従来、この種の格闘技用グローブとしては、例えば、特許文献１に開示されているように、グローブは、面ファスナーとして例えばベルクロ（Ｖｅｌｃｒｏ：登録商標）タイプのストラップによって片手でもって手首を締め付けるようにして固定される。
【０００３】
また、非特許文献１に開示されているように、グローブの内側中央付近から手首部にかけて、競技者の拳を挿入し易くするための割溝が形成され、この割溝の片側からは保持ベルトが延設されている。そして、保持ベルトの裏面と、割溝の他の片側縁部から手首部外周にかけて雄雌の面ファスナー部が設けられ、拳挿入後に片手でもってこの割溝を窄ませながら保持ベルトを手首に巻き付けて雄雌の面ファスナー部で固定される。
【先行技術文献】
【特許文献】
【０００４】
【特許文献１】特表２００４−５２７３２３号公報
【非特許文献】
【０００５】
【非特許文献１】「Ｇｕｔｓ  ｔｏ  Ｆｉｇｈｔ  ｖｏｌ．１４  ２０１０ＡＵＴＵＭＮ」株式会社イサミ発行、ｐ．１３５−１４４
【考案の概要】
【考案が解決しようとする課題】
【０００６】
しかしながら、従来における特許文献１および非特許文献１のように、面ファスナーであるベルクロ（Ｖｅｌｃｒｏ：登録商標）タイプのストラップまたはベルトを使用してグローブを手首に固定させる場合には、手首を締め付ける作業、または割溝を窄ませながらベルトを手首に巻き付ける作業を競技者一人による片手のみで適確に行うのは非常に困難である。
【０００７】
すなわち、手首を締め付けながらストラップで固定したり、また割溝を窄ませながらベルトを手首に巻き付けて固定したりする作業は、グローブを装着していない片側の手では行うことができるが、同時にもう片側の手にグローブを装着する場合には既着のグローブ先端で行わなければならず非常に不便である（他人の手を借りない場合）。このように既着のグローブ先端では、各競技者が自己の拳に合わせて締め付け強度を任意に調節することができないばかりでなく、手首の締め付け力や、割溝の窄ませ力が十分に引き出せないことから手首に対する締め付け固定力が軟弱なものとなり、これによって格闘中にグローブが手から容易に外れてしまうという問題点を有していた。
【０００８】
そこで、本考案は、叙上のような従来存した諸事情に鑑み創案されたもので、片側の手にグローブを装着した後、もう片方の手にグローブを装着してから手首に固定させる際に、既着のグローブ先端でも各競技者が自己の拳に合わせて手首の締め付け強度を任意に調節することができると同時に手首に対する締め付け固定力を確実に得ることができ、しかもグローブの取り外しも簡単に行える格闘技用グローブを提供することを目的とする。
【課題を解決するための手段】
【０００９】
上述した課題を解決するために、本考案にあっては、
親指部、拳部、手首部からなるグローブと、
グローブの内側中央付近から手首部にかけて形成された割溝と、
割溝の片側から延設された保持ベルトと、
保持ベルトの裏面、および前記割溝の他の片側縁部から手首部外周にかけて付設された面ファスナー部と、
を備え、
拳挿入後に前記割溝を窄ませながら前記保持ベルトを手首部に巻き付けて前記面ファスナー部で固定される格闘技用グローブであって、
割溝の他の片側縁部外面に環状となって付設された挿通部と、
中間が挿通部に通された状態で一端が前記割溝の片側に固着され且つ他端が前記保持ベルトの裏面に固着されてなるガイド用帯体と、
を備えたことを特徴とする。
【００１０】
以上のように構成された本考案に係る格闘技用グローブにあって、挿通部に挿通されているガイド用帯体は、保持ベルトを割溝位置から引き離すようにして外方へ引っ張ると挿通部を牽引させ、割溝の左右縁部相互間を窄ませた状態にさせる。
【考案の効果】
【００１１】
本考案によれば、片側の手にグローブを装着した後、もう片方の手にグローブを装着してから手首に固定させる際に、既着のグローブ先端でも各競技者が自己の拳に合わせて手首の締め付け強度を任意に調節することができると同時に手首に対する締め付け固定力を確実に得ることができ、しかもグローブの取り外しも簡単に行える。
【００１２】
すなわち、割溝の他の片側縁部外面に環状となって付設された挿通部と、中間が挿通部に通された状態で一端が前記割溝の片側に固着され且つ他端が前記保持ベルトの裏面に固着されてなるガイド用帯体とを備えているので、片側の手にグローブを装着した後、もう片方の手にグローブを装着してから手首に固定させる際に、既着のグローブ先端で、保持ベルトを割溝位置から引き離すようにして外方へ引っ張ることで、挿通部に挿通されているガイド用帯体は当該挿通部を牽引させ、割溝の左右縁部相互間を窄ませた状態にして任意の締め付け強度に調節した後に、保持ベルトを手首部に巻き付けて面ファスナーによって固定させることができ、手首に対する締め付け固定力を容易に且つ確実に得ることができる。
【図面の簡単な説明】
【００１３】
【図１】本考案を実施するための一形態を示す手挿入前の斜視図である。
【図２】同じく手首部固定前の状態を示す斜視図である。
【図３】同じく手首部固定後の状態を示す斜視図である。
【図４】（ａ）乃至（ｂ）は手首部の固定手順を示す断面図である。
【考案を実施するための形態】
【００１４】
以下、図面を参照して本考案に係わる格闘技用グローブの実施の一形態を詳細且つ具体的に説明する。
【００１５】
本考案に係る格闘技用グローブを構成するグローブ本体Ｐは、図１乃至図３に示すように、例えば牛革内部に発泡ポリウレタン製等の硬質クッション部材を内包してなる親指部１、拳部２、手首部３それぞれによって概ね構成されている。
【００１６】
グローブ本体Ｐの内側は、競技者の手Ｈの親指および拳が容易に挿入できるよう、中央付近から手首部３にかけて左右に割れた平面略コ字形の割溝４が形成されている。
【００１７】
また、競技者が手Ｈの拳を挿入後、拳にグローブ本体Ｐを強く固定するために手首部３の割溝４の片側上面から長尺な保持ベルト５が延設されている。
【００１８】
そして、保持ベルト５の裏面には雄側（または雌側）の面ファスナー部５ａが付設され、前記割溝４の他の片側縁部から手首部３外周にかけては雌側（または雄側）の面ファスナー部５ｂが付設されており、拳挿入後に前記割溝４を窄ませながら前記保持ベルト５を手首部３に巻き付けて雄雌の両面ファスナー部５ａ、５ｂで圧接、固定されるものとなっている。
【００１９】
さらに、割溝４の他の片側縁部外面における面ファスナー部５ｂ上面には帯状の挿通部６が環状となって付設されている。すなわち、該挿通部６は、図１に示すように、開口部が割溝４側に対向した状態となるように、強靱な帯材の両端が面ファスナー部５ｂ上面に縫着、形成されている。
【００２０】
また、長尺帯状のガイド用帯体７の略中間が挿通部６に通された状態で、当該ガイド用帯体７の一端が前記割溝４の片側縁部寄りに固着されており、且つガイド用帯体７の他端が前記保持ベルト５の裏面における面ファスナー部５ａ領域の略中間位置に固着されている。
尚、長尺帯状のガイド用帯体７の代わりに長尺紐状もしくは弾性を有する帯・紐材等によるガイド用帯体７を使用しても良い。
【００２１】
次に、以上のように構成された形態についての使用の一例について説明する。
【００２２】
まず、図１および図４（ａ）に示すように、手Ｈの親指、拳をグローブ本体Ｐの親指部１、拳部２それぞれに挿入する。
【００２３】
そして、図２および図４（ｂ）に示すように、片手で保持ベルト５を割溝４の位置からいったん引き離すようにして外方へ引っ張る。
【００２４】
このとき、挿通部６に挿通されているガイド用帯体７により当該挿通部６が牽引されることで割溝４の左右縁部相互間が窄ませられ、これにより手首に対しての締め付け力を任意の強度に調節しておく。
【００２５】
しかる後、図３および図４（ｃ）に示すように、保持ベルト５を手首部３に巻き付けて雄雌両面ファスナー５ａ、５ｂ同士を接合させることによって手首にしっかりと固定させる。
【００２６】
こうして片側の手Ｈにグローブ本体Ｐを装着した後、もう片方の手Ｈにグローブ本体Ｐを装着し手首に固定させる際には、もう片方の手Ｈの親指、拳をグローブ本体Ｐの親指部１、拳部２それぞれに挿入した後、既着のグローブ本体Ｐの先端で、上記と同様に保持ベルト５を割溝４の位置から引き離すようにして外方へ引っ張り、保持ベルト５を手首部３に巻き付けて雄雌両面ファスナー５ａ、５ｂ同士を接合させれば良い。而して、グローブ本体Ｐの手首部３による手首に対する締め付け固定力が競技者一人で容易に且つ確実に得られるものとなる。
【００２７】
競技者が練習や試合等を終えた後において、手Ｈの親指、拳からグローブ本体Ｐを外す場合、既着のグローブ本体Ｐの先端であっても上記した装着方法と逆の手順で行えば他人の手を借りずに容易に競技者のみで外すことができる。
【００２８】
まず、競技者が保持ベルト５を既着のグローブ本体Ｐの先端で引っ張ることにより、接合されている両面ファスナー５ａ、５ｂ同士を解離させる。そして、手Ｈの親指、拳をグローブ本体Ｐの親指部１、拳部２それぞれから強制的に引き抜くと、ガイド用帯体７の中間が挿通部６に通されている状態のまま割溝４自体が自然拡開され、これにより手Ｈの親指、拳をグローブ本体Ｐから容易に抜くことができる。このように、競技者一人であってもグローブ本体Ｐを外すことができる。
【符号の説明】
【００２９】
Ｐ          グローブ本体
Ｈ          手
１          親指部
２          拳部
３          手首部
４          割溝
５          保持ベルト
５ａ、５ｂ  面ファスナー部
６          挿通部
７          ガイド用帯体
【図１】
0003166611.tif 000003
【図２】
0003166611.tif 000004
【図３】
0003166611.tif 000005
【図４】
0003166611.tif 000006